(57)【要約】【課題】タイヤ外観を大きく損ねることがなく、かつタイヤの空気漏れを生ずることがないように貼付することを可能にするタイヤ用二次元コードラベルを提供する。【解決手段】実質的に円形か、又は少なくとも５以上の辺又は頂点を実質的に点対称に配置した形状とする。【選択図】図１
2009036807.tif 000002
【特許請求の範囲】
【請求項１】
タイヤの識別情報が記録された二次元コードが印刷されていると共に、タイヤのビード部のリムフランジと接触する領域に貼付されるラベルであって、該ラベルの形状が、実質的に円形か、又は少なくとも５以上の辺又は頂点を実質的に点対称に配置した形状であるタイヤ用二次元コードラベル。
【請求項２】
前記ラベルの形状に外接する最大幅と最小幅の比が１．０〜１．０５である請求項１に記載のタイヤ用二次元コードラベル。
【請求項３】
前記ラベルの形状の外接円直径が５〜１５ｍｍである請求項１又は２に記載のタイヤ用二次元コードラベル。
【請求項４】
前記ラベルの形状が、少なくとも８以上の辺又は頂点を有する正多角形状である請求項１〜３のいずれかに記載のタイヤ用二次元コードラベル。
【請求項５】
前記ラベルの形状が、少なくとも８以上の辺又は頂点を有する星形形状である請求項１〜３のいずれかに記載のタイヤ用二次元コードラベル。
【請求項６】
請求項１〜５のいずれかに記載のタイヤ用二次元コードラベルをビード部に貼付した空気入りタイヤ。
【発明の詳細な説明】
【技術分野】
【０００１】
本発明はタイヤ用二次元コードラベルに関し、更に詳しくは、タイヤの外観を大きく損ねることがなく、かつタイヤの空気漏れを生ずることがならないように貼付することを可能にしたタイヤ用二次元コードラベルに関する。
【背景技術】
【０００２】
タイヤの生産・販売管理においては、タイヤの製品番号やサイズ等の製造情報や、適用車種や出荷先等の販売情報などからなるタイヤの識別情報を記録したコードが印刷されたラベルをタイヤに貼付し、そのコードをリーダで読み取ることにより、タイヤをコンピュータで管理することが広く行われている。このコードには、ラベルの位置や向きにかかわらず、リーダによる読み取りが可能である二次元コードが採用されている（例えば、特許文献１を参照）。
【０００３】
図５に示すように、上記の二次元コード９が印刷されたラベル１は、二次元コード９の形状に合わせて四角形状となっており、タイヤのビード部の外面のリムフランジが接する箇所に貼付され、リム組み後に外側から見えないように使用される。
【０００４】
しかし、四角形状のラベル１は、上下二辺をタイヤの周方向と揃うようにビード部に貼付しないと、リム組み後の外観を大きく損ねたり、またリム組み後はリムフランジの外側に一部がはみ出すことにより、空気漏れの原因になったりする。そのため、ラベル１を人手で貼付する場合には、作業に慎重を要するため手間が掛かって生産効率が低下し、また自動で貼付する場合には、貼付設備の精度向上が必要となるため製造コストが増加するという問題があった。
【特許文献１】特許第２９３８３３８号公報
【発明の開示】
【発明が解決しようとする課題】
【０００５】
本発明の目的は、タイヤ外観を大きく損ねることがなく、かつタイヤの空気漏れを生ずることがないように貼付することを可能にするタイヤ用二次元コードラベルを提供することにある。
【課題を解決するための手段】
【０００６】
上記の目的を達成する本発明のタイヤ用二次元コードラベルは、タイヤの識別情報が記録された二次元コードが印刷されていると共に、タイヤのビード部のリムフランジと接触する領域に貼付されるラベルであって、該ラベルの形状が、実質的に円形か、又は少なくとも５以上の辺又は頂点を実質的に点対称に配置した外形状であることを特徴とするものである。
【０００７】
このラベル形状は、外接の最大幅と最小幅の比を１．０〜１．０５の範囲とするとよく、またラベルの外接円の直径は５〜１５ｍｍとすることが望ましい。
【０００８】
また、ラベルの形状は、点対称とする場合には、より好ましくは少なくとも８以上の辺又は頂点を有する正多角形状、又は少なくとも８以上の辺又は頂点を有する星形形状とする。
【発明の効果】
【０００９】
本発明のタイヤ用二次元コードラベルによれば、タイヤのビード部のリムフランジに接触する領域に貼付されるタイヤ用二次元コードラベルの形状として、実質的に円形であるか、又は少なくとも５以上の辺又は頂点を実質的に点対称に配置した形状となるようにしたので、ビード部に対していかなる向きで貼付しても、実質的に方向性をもたないため、視覚的には同一又はそれに近い形状に見え、タイヤ外観を大きく損ねることがない。また、ラベルの中心から外縁までの距離がいずれの方向にも実質的に同じになるので、ラベルを貼付する向きにかかわらずラベルがリムフランジからはみ出す部分がなくなるため、タイヤの空気漏れを生じさせないようにすることができる。
【発明を実施するための最良の形態】
【００１０】
以下に、本発明の実施の形態について、図面を参照して説明する。
【００１１】
図１は、本発明の実施形態からなるタイヤ用二次元コードラベルの例を示す。
【００１２】
このタイヤ用二次元コードラベル（以下、単に「ラベル」という。）１は、裏面に接着剤等が塗布された樹脂製の円形の薄いシート２の上に、タイヤの識別情報が記録された二次元コードの１種であるＱＲコード３（株式会社デンソーウェーブの登録商標）を印刷したものである。このラベル１は、図２に示すように、タイヤ４のビード部５の外面に対してリムフランジ６と接触する領域に貼付され、製造・販売現場において固定カメラなどのリーダーでＱＲコード３を読み取ることにより、タイヤ４をコンピューターで管理するようになっている。ラベル１は円形であるため、ビード部５に貼付されるとき方向性をもたず、どのような向きに貼付しても常に同じ形態（円形）であって、リムフランジ６の外側にはみ出したりすることはない。また、ＱＲコード３は、３箇所に切り出しシンボルが設けられているため、ラベル１の向きにかかわらずリーダーによる読み取りが可能である。
【００１３】
図１の実施形態は、ラベル１の形状が円形であるが、このラベル１の形状は、図３や図４のように、少なくとも５以上の辺７又は頂点８を実質的に点対称に配置した形状としたものであってもよい。図３は辺７が８つの場合である正八多角形状を示し、図４は頂点８が８つの場合の星形形状を示している。
【００１４】
このように、ラベル１の形状を、少なくとも５以上の辺７又は頂点８を実質的に点対称に配置した形状としたことにより、その外接円は真円であるのでラベル１をいかなる向きでタイヤ４のビード部５に貼付しても、視覚的には同一又はそれに近い実質的に方向性をもたない状態に見えるため、タイヤ外観を大きく損ねることがない。また、ラベル１の中心から外縁までの距離が全ての方向に略同一になるので、ラベル１を貼付する向きの如何にかかわらず、ラベル１がリムフランジ６からはみ出さないようになるため、ビード部５から空気漏れが生じないようにすることができる。
【００１５】
上記のような点対称の形状は、辺７又は頂点８の数が少なくとも５以上であることが必要であるが、より好ましくは８以上の辺７又は頂点８を有する正多角形状又は星形形状とすることが望ましい。また、星形形状の場合には、星形の各頂点８に丸みをつけるようにしてもよい。このように、８以上の辺７又は頂点８を有する正多角形状又は星形形状とすることにより、実質的に円形のラベル１と同等の効果が得られるようになる。
【００１６】
本発明のラベル１は、形状が円形の場合は真円であること、また辺７又は頂点８が点対称の形状の場合は完全点対称であることが望ましいが、わずかな変形であれば楕円であったり、不完全点対称であってもよい。その変形のずれとしては、形状に対して任意の外接する幅をとったときの最大幅と最小幅の比が１．０〜１．０５の範囲であればよく、本発明ではこの範囲内にあるときに、円形の場合は実質的円形といい、点対称の場合は実質的点対称という。なお、最大幅と最小幅の比が１．０５となるのは、形状が正五角形の場合である。また、ラベル１の全体の大きさを規定する外接円の直径は、５〜１５ｍｍの範囲とすることが望ましい。５ｍｍ未満にすると二次元コード９の領域が小さくなってタイヤの識別情報の記録容量が不足し、１５ｍｍを超えるとラベル１の端部がリムフランジ６の外側にはみ出すことになる。
【図面の簡単な説明】
【００１７】
【図１】本発明の実施形態からなるタイヤ用二次元コードラベルの一例である。
【図２】タイヤ用二次元コードラベルの貼付場所を示すタイヤのビード部の拡大図であって、（ａ）は断面図を、（ｂ）は平面図をそれぞれ示す。
【図３】本発明の実施形態からなるタイヤ用二次元コードラベルの別の例である。
【図４】本発明の実施形態からなるタイヤ用二次元コードラベルの更に別の例である。
【図５】従来のタイヤ用二次元コードラベルの一例である。
【符号の説明】
【００１８】
１  タイヤ用二次元コードラベル
２  シート
３  ＱＲコード
４  タイヤ
５  ビード部
６  リムフランジ
７  辺
８  頂点
９  二次元コード
【図１】
2009036807.tif 000003
【図２】
2009036807.tif 000004
【図３】
2009036807.tif 000005
【図４】
2009036807.tif 000006
【図５】
2009036807.tif 000007